(57)【特許請求の範囲】
【請求項１】
排水口に着脱自在に取り付けた目皿と、目皿で捕捉したゴミを掻き集めるゴミ集め治具とで成り、目皿は中央ほど下方に位置する円錐状の内面を有し、ゴミ集め治具は目皿の内面に略合致する円錐状の外面を有すると共にその外面に凸又は凹形状のゴミ掻き部が螺旋状に形成され、目皿の中央部を、目皿の内面に外面を近接させたゴミ集め治具を上記螺旋方向に回転させることでゴミ掻き部にて掻き集められるゴミの集合部としたことを特徴とするゴミの捕捉装置。
【請求項２】
目皿が有する多数の排水孔は周縁に比べて中央ほど穿孔密度が高く配置されたことを特徴とする請求項１のゴミの捕捉装置。
【請求項３】
目皿の少なくとも内面とゴミ集め治具の少なくとも外面は滑性材料で構成されたことを特徴とする請求項１又は２記載のゴミの捕捉装置。
【発明の詳細な説明】
【技術分野】
【０００１】
本発明は、ゴミの捕捉装置に関するものである。
【背景技術】
【０００２】
従来から、浴室洗い場などの排水口には目皿が着脱自在に取り付けられ、この目皿によって、排水口に流入する排水に含まれる髪の毛などのゴミを捕捉することが行われている（たとえば特許文献１参照）。
【０００３】
しかしながら、ゴミ（特に髪の毛）は目皿に絡みつくようにして捕捉され、またこのゴミにはしばしば洗い場で使用した石鹸滓などがこびり付いたりして排水の妨げになると共に見た目にも不衛生であり、そして、この捕捉したゴミを目皿から除去する際には、使用者は手などで上記不衛生なゴミを目皿から剥がさねばならないのであるが、ゴミは上述のように目皿に絡み付いているため、なかなか目皿から剥がれないのであって、煩雑な作業になる。
【特許文献１】特開２００２−１３１７６号公報
【発明の開示】
【発明が解決しようとする課題】
【０００４】
本発明は上記の点に鑑みてなされたものであり、その目的とするところは、目皿で捕捉したゴミを簡単に剥がして除去可能にするゴミの捕捉装置を提供することを課題とするものである。
【課題を解決するための手段】
【０００５】
上記課題を解決するために請求項１に係るゴミの捕捉装置にあっては、排水口７に着脱自在に取り付けた目皿１と、目皿１で捕捉したゴミを掻き集めるゴミ集め治具２とで成り、目皿１は中央ほど下方に位置する円錐状の内面１ａを有し、ゴミ集め治具２は目皿１の内面１ａに略合致する円錐状の外面２ａを有すると共にその外面２ａに凸又は凹形状のゴミ掻き部３が螺旋状に形成され、目皿１の中央部を、目皿１の内面１ａに外面２ａを近接させたゴミ集め治具２を上記螺旋方向に回転させることでゴミ掻き部３にて掻き集められるゴミの集合部４としたことを特徴とする。
【０００６】
これによると、ゴミ集め治具２の外面２ａを目皿１の内面１ａに近接させた状態でゴミ掻き部３が形成される螺旋方向に回転させることで、目皿１の内面１ａに絡み付くように捕捉されたゴミを、ゴミ集め治具２のゴミ掻き部３によって掻き取り、螺旋状のゴミ掻き部３によって引き摺るようにして目皿１の中央部分の集合部４に運ぶことができ、すなわち、目皿１の中央部分の集合部４には掻き取って纏まった状態のゴミを集めることができるのであり、排水口７から目皿１を外して上下反転させることで上記纏まった状態のゴミをゴミ箱に捨てることができ、非常に簡単に且つ手を汚すこともなく排水口７からゴミを除去できる。
【０００７】
また、請求項２に係るゴミの捕捉装置にあっては、請求項１において、目皿１が有する多数の排水孔５は周縁に比べて中央ほど穿孔密度が高く配置されたことを特徴とする。これによると、目皿１の周縁から流れ込む排水も目皿１の内面１ａ上を伝わせてなるべく目皿１の中央側を通過させるようにできるから、排水に含まれるゴミの捕捉効率を向上できる。
【０００８】
また、請求項３に係るゴミの捕捉装置にあっては、請求項１又は２において、目皿１の少なくとも内面１ａとゴミ集め治具２の少なくとも外面２ａは滑性材料で構成されたことを特徴とする。これによると、ゴミ集め治具２をその外面２ａが目皿１の内面１ａに近接された状態で回転させる際の摩擦抵抗を低下させることができ、ゴミの除去にかかる作業性を向上できる。
【発明の効果】
【０００９】
本発明にあっては、非常に簡単に且つ手を汚すこともなく排水口からゴミを除去させることができる、という利点を有する。
【発明を実施するための最良の形態】
【００１０】
以下、本発明を添付図面に示す実施形態に基いて説明する。
【００１１】
本発明の目皿１を浴室の洗い場の排水口７に配置した状態を図２に示す。図に示すように浴室の床パン６は洗い場を構成する洗い場部６ａと浴槽が設置される浴槽設置部６ｂを備え、洗い場部６ａと浴槽設置部６ｂの間には堰部６ｃを立ち上げている。排水口７は洗い場の浴槽設置部６ｂ側の端部に形成してあり、この排水口７には排水トラップ８が取り付けられている。
【００１２】
排水トラップ８は、排水口７の下方に配置される容器状のトラップ本体９と、トラップ本体９に取り付けた取付用筒体１０と、トラップ本体９の内側に挿入される封水筒体１１とを備えている。
【００１３】
トラップ本体９の上面に形成した開口部には取付用筒体１０の下部をねじ込んであり、この取付用筒体１０の上端部外周から突設した上側鍔部１０ａとトラップ本体９の開口部の周縁部９ａとでパッキン１２を介して排水口７の周縁部を挟持して、トラップ本体９を水密的に排水口７に取り付けている。排水口７の周縁部は段部１３を介して床パン６の洗い場部６ａの上面よりも低くなっており、これにより洗い場部６ａに排水カバー１４を配置するための上方に開口する凹所１５を形成している。
【００１４】
トラップ本体９の外周壁部の上部には排出口部１６を設けてあり、排出口部１６にはトラップ本体９内の排水を外部に排出するための排水管１８を接続している。また、トラップ本体９の外周壁部の下部には連通口部１７を設けてあり、連通口部１７には浴槽から排出された水をトラップ本体９内へと導く導入管１９を接続している。
【００１５】
取付用筒体１０の下端部内周からは下側鍔部１０ｂを突設してあり、下側鍔部１０ｂ上には封水筒体１１の上端部に周設した鍔部１１ａを載置している。封水筒体１１の下部はトラップ本体９の排出口部１６よりも下方の位置まで挿入してあり、これにより封水筒体１１の下部はトラップ本体９内の溜水Ｔ内に浸かってトラップ本体９内に封水部２０を形成する。
【００１６】
排水口７には排水に含まれるゴミを捕捉するための目皿１が配置される。目皿１は、たとえばその外周縁部１ｂを取付用筒体１０の上側鍔部１０ａ上や封水筒体１１の鍔部１１ａ上に載置したり、取付用筒体１０の内周面にバヨネット結合等でねじ込んだりして、排水口７に着脱自在に取り付けられる。
【００１７】
また、前述の凹所１５には排水カバー１４を配置している。排水カバー１４の外周部には下方に向けて脚部１４ａを突設している。排水カバー１４は脚部１４ａを段部１３の上段面に載置することで目皿１の上方に設置されて排水口７を覆い隠す。
【００１８】
上記排水カバー１４の上面は床パン６の洗い場部６ａの上面と略面一となる。また、排水カバー１４と凹所１５の内周面との間には排水トラップ８に水を流すための流水用隙間２１が形成される。流水用隙間２１は、排水カバー１４の外周縁から下方に突出して前記脚部１４ａを構成する外周壁部の下端部に切欠を設け、該切欠を流水用隙間２１としたり、排水カバー１４の外周部の周方向の複数箇所に脚部１４ａを設け、脚部間１４ａの隙間を流水用隙間２１とする等して形成される。
【００１９】
上記排水構造にあっては、床パン６の洗い場部６ａ上の水が、凹所１５の内周面と排水カバー１４の外周面との間の隙間、前記流水用隙間２１を順に通って、更に目皿１で髪の毛等のゴミを捕捉した後に、排水トラップ８に流入し、封水部２０を経て排出口部１６から排水管１８に排水される。
【００２０】
ところで、本例の目皿１は、図３のように、中央ほど下方に位置する円錐皿状に形成され、その内面１ａが排水口７の上方（本例では浴室）側になるように配置される。換言すると目皿１の内面１ａの水平面に対する傾斜角度θは１°以上である。また、目皿１は多数の排水孔５を有するが、この排水孔５は周縁に比べて中央ほど穿孔密度が高く配置されている。なお、本例の排水孔５は螺旋状に配列されている。したがって、目皿１の周縁から流れ込む排水も目皿１の内面１ａ上を伝わせてなるべく目皿１の中央側を通過させるようにできるから、排水に含まれるゴミの捕捉効率が向上されている。
【００２１】
上記目皿１にて補足された髪の毛等のゴミは、目皿１の内面１ａに絡み付くような状態で捕捉されるのであって、これを剥がして除去するのは煩雑な作業であるが、本例ではゴミ集め治具２を用いることでこのゴミの除去作業を容易にならしめている。このゴミ集め治具２は目皿１と共に、排水に含まれるゴミを捕捉して除去するゴミ捕捉装置を構成する。
【００２２】
ゴミ集め治具２は、図４のように、目皿１の内面１ａに略合致する円錐状の外面２ａを有したブロック状部材であり、その外面２ａには目皿１の内面１ａに捕捉された髪の毛などのゴミを引っ掛けて掻き取ることを可能にするゴミ掻き部３が螺旋状に形成されている。ゴミ掻き部３は、本例では螺旋状に連続する凸条で構成されているが、目皿１の内面１ａに捕捉された髪の毛などのゴミを引っ掛けて掻き取ることが可能であれば、目皿１の内面１ａから凹ませた凹形状に形成してもよく、また螺旋状に連続させずに間欠的に形成してもよい。また、ゴミ集め治具２にはその上方に操作用取手２２が突出されている。操作用取手２２は円錐軸の偏心位置に設けるのがよく、本例では上面の外周縁部に形成されている。
【００２３】
このゴミ集め治具２を用い、目皿１にて捕捉されたゴミを除去するには、図１（ａ）のようにゴミ集め治具２の円錐先端部を下にして目皿１に上方から挿入して、ゴミ集め治具２の外面２ａを目皿１の内面１ａに近接させ（矢印Ａ）、次いで図１（ｂ）のようにゴミ集め治具２の外面２ａを目皿１の内面１ａに近接させた状態でゴミ掻き部３が形成される螺旋方向と同方向に回転させる（矢印Ｂ）。これにより、目皿１の内面１ａに絡み付くように捕捉されたゴミを、ゴミ集め治具２のゴミ掻き部３によって掻き取り、螺旋状のゴミ掻き部３によって引き摺るように丸めて纏めつつ、目皿１の中央部分に寄せ集めるように運ぶことができるのである（矢印Ｃ）。目皿１の内面１ａの中央部分である円錐先端の凹状部位は、いわゆるゴミ集め治具２にて目皿１から掻き取って纏められたゴミを溜めるポケットのような集合部４として機能する。したがって、その後に、排水口７から目皿１を外して上下反転させることで、上記集合部４にある纏まった状態のゴミをゴミ箱に捨てることができるのであり、非常に簡単に且つ手を汚すこともなく排水口７からゴミを除去できるのである。
【００２４】
ここで、目皿１の少なくとも内面１ａとゴミ集め治具２の少なくとも外面２ａを滑性材料で構成させるのが良い。本例では目皿１自身やゴミ集め治具２自身を滑性材料で形成させている。滑性材料としてはＰＯＭ（ポリアセタール樹脂）やＡＢＳ（アクリロニトリル・ブタジエン・スチレン樹脂）やＰＰ（ポリプロピレン樹脂）を好適に用いることができる。
【００２５】
なお、図示はしないが、目皿１の内面１ａに凸又は凹形状のゴミ捕捉補助部を形成してもよく、これによると排水に含まれる髪の毛等のゴミをゴミ捕捉補助部に纏めて引っ掛けるようにして目皿１に捕捉させることができるのであり、ゴミ集め治具２のゴミ掻き部３によってゴミを掻き取って纏めることが更に容易になるのであって、より簡単に排水口７からゴミを除去できるのである。
【図面の簡単な説明】
【００２６】
【図１】本発明の実施の形態の例の排水口からのゴミ除去作業を説明するものであり、（ａ）は目皿にゴミ集め治具を挿入する状態の斜視図であり、（ｂ）は目皿に挿入したゴミ集め治具を回転させた状態の概略側断面図である。
【図２】同上の目皿を配置した排水口付近の側断面図である。
【図３】同上の目皿であり、（ａ）は側面図であり、（ｂ）は（ａ）の上面図であり、（ｃ）は（ａ）のＸ−Ｘ線断面図である。
【図４】同上のゴミ集め治具であり、（ａ）は側面図であり、（ｂ）は（ａ）の下面図であり、（ｃ）は（ａ）のＹ−Ｙ線断面図である。
【符号の説明】
【００２７】
１  目皿
１ａ  内面
２  ゴミ集め治具
２ａ  外面
３  ゴミ掻き部
４  集合部
７  排水口
【図１】
0004770803.tif 000002
【図２】
0004770803.tif 000003
【図３】
0004770803.tif 000004
【図４】
0004770803.tif 000005